(57)【要約】【課題】構成を簡略化してコストの上昇を抑制することが可能な入力選択装置、映像音声再生システム及び映像音声再生方法を提供する。【解決手段】入力操作部３９のＨＤＭＩキーが操作された場合には、制御部３１は、ＨＤＭＩ端子ＳＶａ５が選択されたことを示す制御信号を制御信号出力部３８からプロジェクター１に出力して、ＨＤＭＩ端子ＳＶａ５への入力信号から分離された映像信号に基づく映像を投写させるとともに、ＨＤＭＩ端子ＳＶａ５への入力信号から分離された音声信号をミニジャックＰＡ４からスイッチャー３のミニジャックＳＡａ４に出力させる。また、制御部３１は、音声信号選択部３５に指示をして、ＨＤＭＩ端子ＳＶａ５に対応する音声入力端子であるミニジャックＳＡａ４に入力されている音声信号を選択させる。この結果、ＨＤＭＩ端子ＳＶａ５への入力信号に含まれる音声信号に基づく音声がスピーカー２から出力される。【選択図】図５
2012145620.tif 000002
【特許請求の範囲】
【請求項１】
映像信号が入力される複数の映像入力端子と、
前記複数の映像入力端子にそれぞれ対応付けられ、前記映像信号に対応する音声信号が入力される複数の音声入力端子と、
前記複数の映像入力端子の中から１つを選択するための選択操作を受け付ける入力操作部と、
前記選択操作で選択された映像入力端子に入力される映像信号に基づく映像を映像表示装置に表示させるとともに、選択された前記映像入力端子に対応する音声入力端子に入力される音声信号に基づく音声を音声出力装置から出力させる制御部と、を備え、
前記複数の映像入力端子には、映像信号及び音声信号の双方が入力される第１の映像入力端子が含まれ、
前記複数の音声入力端子には、前記第１の映像入力端子に対応付けられた第１の音声入力端子が含まれていることを特徴とする入力選択装置。
【請求項２】
請求項１に記載の入力選択装置であって、
前記複数の映像入力端子に入力される前記映像信号を前記映像表示装置に出力する複数の映像出力端子と、
前記映像表示装置に制御信号を出力する制御信号出力部と、をさらに備え、
前記制御部は、前記選択操作の選択結果に応じた制御信号を、前記制御信号出力部から出力することによって、前記複数の映像出力端子から出力される前記映像信号のうち、前記選択操作で選択された映像入力端子に入力される映像信号に基づく映像を前記映像表示装置に表示させることを特徴とする入力選択装置。
【請求項３】
請求項１又は２に記載の入力選択装置であって、
前記音声出力装置に前記音声信号を出力する音声出力端子と、
前記複数の音声入力端子に入力される前記音声信号の中から、前記音声出力端子から出力する音声信号を、前記選択操作の選択結果に応じて決定する音声信号選択部と、
をさらに備えたことを特徴とする入力選択装置。
【請求項４】
請求項１〜３のいずれか一項に記載の入力選択装置であって、
前記第１の映像入力端子は、ＨＤＭＩ端子であることを特徴とする入力選択装置。
【請求項５】
請求項１〜３のいずれか一項に記載の入力選択装置であって、
前記第１の映像入力端子は、ＵＳＢ端子であることを特徴とする入力選択装置。
【請求項６】
映像信号及び音声信号が入力される入力選択装置と、前記入力選択装置に入力された前記映像信号に基づく映像を表示する映像表示装置と、前記入力選択装置に入力された前記音声信号に基づく音声を出力する音声出力装置と、を備えた映像音声再生システムであって、
前記入力選択装置は、
前記映像信号が入力される複数の映像入力端子と、
前記複数の映像入力端子にそれぞれ対応付けられ、前記映像信号に対応する前記音声信号が入力される複数の音声入力端子と、
前記複数の映像入力端子の中から１つを選択するための選択操作を受け付ける入力操作部と、
前記選択操作で選択された前記映像入力端子に入力される映像信号に基づく映像を前記映像表示装置に表示させるとともに、前記選択操作で選択された前記映像入力端子に対応する音声入力端子に入力される音声信号に基づく音声を前記音声出力装置から出力させる制御部と、を備え、
前記複数の映像入力端子には、前記映像信号及び前記音声信号の双方が入力される第１の映像入力端子が含まれ、
前記複数の音声入力端子には、前記第１の映像入力端子に対応付けられた第１の音声入力端子が含まれており、
前記映像表示装置は、
前記入力選択装置の前記第１の映像入力端子に入力された前記映像信号及び前記音声信号が前記入力選択装置から入力される第２の映像入力端子と、
前記第２の映像入力端子に入力された前記映像信号と前記音声信号とを分離する分離部と、
前記選択操作で前記第１の映像入力端子が選択された場合に、前記分離部で分離された前記映像信号に基づく映像を表示する表示部と、
前記選択操作で前記第１の映像入力端子が選択された場合に、前記分離部で分離された前記音声信号を前記入力選択装置の前記第１の音声入力端子に出力する音声出力端子と、
を備えたことを特徴とする映像音声再生システム。
【請求項７】
請求項６に記載の映像音声再生システムであって、
前記入力選択装置は、
前記複数の映像入力端子に入力される前記映像信号を前記映像表示装置に出力する複数の映像出力端子と、
前記映像表示装置に制御信号を出力する制御信号出力部と、をさらに備え、
前記制御部は、前記選択操作の選択結果に応じた制御信号を、前記制御信号出力部から出力することによって、前記複数の映像出力端子から出力される前記映像信号のうち、前記選択操作で選択された映像入力端子に入力される映像信号に基づく映像を前記映像表示装置に表示させることを特徴とする映像音声再生システム。
【請求項８】
請求項６又は７に記載の映像音声再生システムであって、
前記入力選択装置は、
前記音声出力装置に前記音声信号を出力する音声出力端子と、
前記複数の音声入力端子に入力される前記音声信号の中から、前記音声出力端子から出力する音声信号を、前記選択操作に基づいて決定する音声信号選択部と、
をさらに備えたことを特徴とする映像音声再生システム。
【請求項９】
請求項６〜８のいずれか一項に記載の映像音声再生システムであって、
前記第１の映像入力端子は、ＨＤＭＩ端子であることを特徴とする映像音声再生システム。
【請求項１０】
請求項６〜８のいずれか一項に記載の映像音声再生システムであって、
前記第１の映像入力端子は、ＵＳＢ端子であることを特徴とする映像音声再生システム。
【請求項１１】
映像信号及び音声信号が入力される入力選択装置と、前記入力選択装置に入力された前記映像信号に基づく映像を表示する映像表示装置と、前記入力選択装置に入力された前記音声信号に基づく音声を出力する音声出力装置と、を備えた映像音声再生システムによる映像音声再生方法であって、
前記入力選択装置が、複数の映像入力端子の中から、前記映像信号及び前記音声信号の双方が入力される第１の映像入力端子を選択するための選択操作を受け付けるステップと、
前記入力選択装置が、前記第１の映像入力端子に入力された前記映像信号及び前記音声信号を前記映像表示装置に出力するステップと、
前記映像表示装置が、前記映像信号及び前記音声信号を分離するステップと、
前記映像表示装置が、分離された前記映像信号に基づく映像を表示するステップと、
前記映像表示装置が、分離された前記音声信号を前記入力選択装置に出力するステップと、
前記入力選択装置が、前記映像表示装置から入力された前記音声信号を前記音声出力装置に出力するステップと、
前記音声出力装置が、前記入力選択装置から入力された前記音声信号に基づく音声を出力するステップと、
を備えたことを特徴とする映像音声再生方法。
【発明の詳細な説明】
【技術分野】
【０００１】
本発明は、複数の入力ソースから表示すべき入力ソースを選択する入力選択装置、及びこれを備えた映像音声再生システム、並びにこの映像音声再生システムによる映像音声再生方法に関する。
【背景技術】
【０００２】
プロジェクター等の映像表示装置には、多数の映像入力端子や音声入力端子が備わっており、外部の様々な映像音声供給装置（入力ソース）を接続可能なっている。ユーザーは、装置の本体に備わる操作パネルやリモコンを操作することによって、複数の入力ソースの中から表示対象の入力ソースを選択することができる（例えば、特許文献１参照）。
【０００３】
このような映像表示装置を学校の教室のような広い場所で利用する場合には、映像表示装置を高い位置に取り付けるとともに、比較的大型の外部のスピーカーから音声を出力させる場合がある。ところが、映像表示装置が高い位置にあると、入力ソースを都度接続し直したり、表示すべき入力ソースを選択したりすることが困難になってしまう。このため、複数の入力ソースを接続可能であるとともに、映像表示装置に表示させる入力ソースを選択することが可能な入力選択装置を、入力ソースを接続しやすい位置に配置し、この入力選択装置を介して映像表示装置に映像信号を供給し、外部のスピーカーに音声信号を供給することが行われる。
【先行技術文献】
【特許文献】
【０００４】
【特許文献１】特開２００３−２７４３１６号公報
【発明の概要】
【発明が解決しようとする課題】
【０００５】
しかしながら、上記のような構成の入力選択装置に、映像信号及び音声信号の双方が入力される映像入力端子（例えば、ＨＤＭＩ端子）を設けようとすると、映像表示装置に供給する映像信号と、外部のスピーカーに供給する音声信号とを、入力選択装置内で分離する必要が生じる。このため、入力選択装置の構成が複雑になり、コストが上昇してしまうという問題を有している。
【課題を解決するための手段】
【０００６】
本発明は、上述の課題の少なくとも一部を解決するためになされたものであり、以下の形態又は適用例として実現することが可能である。
【０００７】
［適用例１］本適用例に係る入力選択装置は、映像信号が入力される複数の映像入力端子と、前記複数の映像入力端子にそれぞれ対応付けられ、前記映像信号に対応する音声信号が入力される複数の音声入力端子と、前記複数の映像入力端子の中から１つを選択するための選択操作を受け付ける入力操作部と、前記選択操作で選択された映像入力端子に入力される映像信号に基づく映像を映像表示装置に表示させるとともに、選択された前記映像入力端子に対応する音声入力端子に入力される音声信号に基づく音声を音声出力装置から出力させる制御部と、を備え、前記複数の映像入力端子には、映像信号及び音声信号の双方が入力される第１の映像入力端子が含まれ、前記複数の音声入力端子には、前記第１の映像入力端子に対応付けられた第１の音声入力端子が含まれていることを特徴とする。
【０００８】
この入力選択装置によれば、制御部は、選択操作で選択された映像入力端子に入力される映像信号に基づく映像を映像表示装置に表示させるとともに、選択された映像入力端子に対応する音声入力端子に入力される音声信号に基づく音声を音声出力装置から出力させる。このため、映像信号及び音声信号の双方が入力される第１の映像入力端子が選択操作で選択された場合には、制御部は、第１の映像入力端子に入力される映像信号に基づく映像を映像表示装置に表示させるとともに、第１の映像入力端子に対応する第１の音声入力端子に入力される音声信号に基づく音声を音声出力装置から出力させる。ここで、第１の映像入力端子に入力される映像信号及び音声信号をそのまま映像表示装置に出力して、この映像信号に基づく映像を映像表示装置に表示させるとともに、映像表示装置に音声信号を分離させて第１の音声入力端子に入力させるようにすれば、この音声信号に基づく音声を音声出力装置から出力させることができる。つまり、映像の表示と、音声の出力とを異なる装置で行うにあたり、第１の映像入力端子に入力される映像信号と音声信号とを入力選択装置内で分離する必要がないため、構成を簡略化することが可能となり、コストの上昇を抑制することが可能となる。
【０００９】
［適用例２］上記適用例に係る入力選択装置において、前記複数の映像入力端子に入力される前記映像信号を前記映像表示装置に出力する複数の映像出力端子と、前記映像表示装置に制御信号を出力する制御信号出力部と、をさらに備え、前記制御部は、前記選択操作の選択結果に応じた制御信号を、前記制御信号出力部から出力することによって、前記複数の映像出力端子から出力される前記映像信号のうち、前記選択操作で選択された映像入力端子に入力される映像信号に基づく映像を前記映像表示装置に表示させることが望ましい。
【００１０】
［適用例３］上記適用例に係る入力選択装置において、前記音声出力装置に前記音声信号を出力する音声出力端子と、前記複数の音声入力端子に入力される前記音声信号の中から、前記音声出力端子から出力する音声信号を、前記選択操作の選択結果に応じて決定する音声信号選択部と、をさらに備えることが望ましい。
【００１１】
［適用例４］上記適用例に係る入力選択装置において、前記第１の映像入力端子は、ＨＤＭＩ端子であってもよい。
【００１２】
［適用例５］上記適用例に係る入力選択装置において、前記第１の映像入力端子は、ＵＳＢ端子であってもよい。
【００１３】
［適用例６］本適用例に係る映像音声再生システムは、映像信号及び音声信号が入力される入力選択装置と、前記入力選択装置に入力された前記映像信号に基づく映像を表示する映像表示装置と、前記入力選択装置に入力された前記音声信号に基づく音声を出力する音声出力装置と、を備えた映像音声再生システムであって、前記入力選択装置は、前記映像信号が入力される複数の映像入力端子と、前記複数の映像入力端子にそれぞれ対応付けられ、前記映像信号に対応する前記音声信号が入力される複数の音声入力端子と、前記複数の映像入力端子の中から１つを選択するための選択操作を受け付ける入力操作部と、前記選択操作で選択された前記映像入力端子に入力される映像信号に基づく映像を前記映像表示装置に表示させるとともに、前記選択操作で選択された前記映像入力端子に対応する音声入力端子に入力される音声信号に基づく音声を前記音声出力装置から出力させる制御部と、を備え、前記複数の映像入力端子には、前記映像信号及び前記音声信号の双方が入力される第１の映像入力端子が含まれ、前記複数の音声入力端子には、前記第１の映像入力端子に対応付けられた第１の音声入力端子が含まれており、前記映像表示装置は、前記入力選択装置の前記第１の映像入力端子に入力された前記映像信号及び前記音声信号が前記入力選択装置から入力される第２の映像入力端子と、前記第２の映像入力端子に入力された前記映像信号と前記音声信号とを分離する分離部と、前記選択操作で前記第１の映像入力端子が選択された場合に、前記分離部で分離された前記映像信号に基づく映像を表示する表示部と、前記選択操作で前記第１の映像入力端子が選択された場合に、前記分離部で分離された前記音声信号を前記入力選択装置の前記第１の音声入力端子に出力する音声出力端子と、を備えたことを特徴とする。
【００１４】
この映像音声再生システムによれば、入力選択装置の制御部は、選択操作で選択された映像入力端子に入力される映像信号に基づく映像を映像表示装置に表示させるとともに、選択された映像入力端子に対応する音声入力端子に入力される音声信号に基づく音声を音声出力装置から出力させる。このため、映像信号及び音声信号の双方が入力される第１の映像入力端子が選択操作で選択された場合には、入力選択装置の制御部は、第１の映像入力端子に入力される映像信号に基づく映像を映像表示装置に表示させるとともに、第１の映像入力端子に対応する第１の音声入力端子に入力される音声信号に基づく音声を音声出力装置から出力させる。ここで、第１の映像入力端子に入力された映像信号及び音声信号は、映像表示装置の第２の映像入力端子に入力され、映像表示装置の分離部にて映像信号と音声信号に分離される。そして、映像表示装置は、分離された映像信号に基づく映像を表示部により表示するとともに、分離された音声信号を音声出力端子から入力選択装置の第１の音声入力端子に出力する。この結果、この音声信号に基づく音声が音声出力装置から出力される。つまり、映像の表示と、音声の出力とを異なる装置で行うにあたり、第１の映像入力端子に入力される映像信号と音声信号とを入力選択装置内で分離する必要がないため、入力選択装置の構成を簡略化することが可能となり、コストの上昇を抑制することが可能となる。
【００１５】
［適用例７］上記適用例に係る映像音声再生システムにおいて、前記入力選択装置は、前記複数の映像入力端子に入力される前記映像信号を前記映像表示装置に出力する複数の映像出力端子と、前記映像表示装置に制御信号を出力する制御信号出力部と、をさらに備え、前記制御部は、前記選択操作の選択結果に応じた制御信号を、前記制御信号出力部から出力することによって、前記複数の映像出力端子から出力される前記映像信号のうち、前記選択操作で選択された映像入力端子に入力される映像信号に基づく映像を前記映像表示装置に表示させることが望ましい。
【００１６】
［適用例８］上記適用例に係る映像音声再生システムにおいて、前記入力選択装置は、前記音声出力装置に前記音声信号を出力する音声出力端子と、前記複数の音声入力端子に入力される前記音声信号の中から、前記音声出力端子から出力する音声信号を、前記選択操作に基づいて決定する音声信号選択部と、をさらに備えることが望ましい。
【００１７】
［適用例９］上記適用例に係る映像音声再生システムにおいて、前記第１の映像入力端子は、ＨＤＭＩ端子であってもよい。
【００１８】
［適用例１０］上記適用例に係る映像音声再生システムにおいて、前記第１の映像入力端子は、ＵＳＢ端子であってもよい。
【００１９】
［適用例１１］本適用例に係る映像音声再生方法は、映像信号及び音声信号が入力される入力選択装置と、前記入力選択装置に入力された前記映像信号に基づく映像を表示する映像表示装置と、前記入力選択装置に入力された前記音声信号に基づく音声を出力する音声出力装置と、を備えた映像音声再生システムによる映像音声再生方法であって、前記入力選択装置が、複数の映像入力端子の中から、前記映像信号及び前記音声信号の双方が入力される第１の映像入力端子を選択するための選択操作を受け付けるステップと、前記入力選択装置が、前記第１の映像入力端子に入力された前記映像信号及び前記音声信号を前記映像表示装置に出力するステップと、前記映像表示装置が、前記映像信号及び前記音声信号を分離するステップと、前記映像表示装置が、分離された前記映像信号に基づく映像を表示するステップと、前記映像表示装置が、分離された前記音声信号を前記入力選択装置に出力するステップと、前記入力選択装置が、前記映像表示装置から入力された前記音声信号を前記音声出力装置に出力するステップと、前記音声出力装置が、前記入力選択装置から入力された前記音声信号に基づく音声を出力するステップと、を備えたことを特徴とする。
【図面の簡単な説明】
【００２０】
【図１】映像音声再生システムの概略構成を示す斜視図。
【図２】プロジェクターの概略構成を示すブロック図。
【図３】スイッチャーを示す斜視図。
【図４】スイッチャーの入力操作部を示す正面図。
【図５】スイッチャーの概略構成を示すブロック図。
【発明を実施するための形態】
【００２１】
以下、本実施形態の映像音声再生システムについて、図面を参照して説明する。
図１は、本実施形態の映像音声再生システムの概略構成を示す斜視図である。
図１に示すように、映像音声再生システム１００は、映像表示装置としてのプロジェクター１と、音声出力装置としてのスピーカー２と、入力選択装置としてのスイッチャー３とを含んで構成される。スイッチャー３には、外部の映像音声供給装置２００（例えば、コンピューター）が適宜接続され、映像音声供給装置２００から映像信号及び音声信号が供給される。スイッチャー３は、供給された映像信号をプロジェクター１に出力するとともに、供給された音声信号をスピーカー２に出力する。本実施形態のプロジェクター１は、短焦点レンズを採用した近接投写型のプロジェクターであり、壁面の上部に固定されている。そして、その壁面に沿って下側に配置されているスクリーンＳＣに向けて、スイッチャー３から入力される映像信号に基づく映像を投写（表示）する。スピーカー２は、例えば、アンプを内蔵したアクティブ型のスピーカーであり、スイッチャー３から入力される音声信号に基づく音声を出力する。なお、スイッチャー３は、映像音声供給装置２００の接続や離脱を容易に行えるように、プロジェクター１よりも低い位置に配置されている。また、プロジェクター１は、単体での利用も可能な汎用のプロジェクターであるが、映像音声再生システム１００に専用のプロジェクターとしてもよい。
【００２２】
図２は、プロジェクター１の概略構成を示すブロック図である。
図２に示すように、プロジェクター１は、映像投写部１０と、制御部１１と、入力操作部１２と、制御信号入力部１３と、映像信号入力部１４と、映像音声分離部１５と、音声信号入力部１６と、映像信号選択部１７と、音声信号選択部１８と、映像信号処理部１９と、音声信号処理部２０と、スピーカー２１と、音声信号出力部２２とを備えている。
【００２３】
映像投写部１０は、光源装置、液晶ライトバルブ等の光変調装置、投写レンズ等（いずれも図示せず）を備えて構成される。映像投写部１０は、表示部に相当するものであり、光源装置から射出された光を光変調装置で変調して画像（映像）を形成し、投写レンズから拡大投写して、スクリーンＳＣ等の投写面に表示する。
【００２４】
制御部１１は、ＣＰＵ（Central Processing Unit）や、各種データ等の一時記憶に用いられるＲＡＭ（Random Access Memory）、不揮発性のＲＯＭ（Read Only Memory）等を備えており、ＲＯＭに記憶されている制御プログラムに従ってＣＰＵが動作することによりプロジェクター１の動作を統括制御する。
【００２５】
入力操作部１２は、ユーザーの入力操作を受け付けるものであり、ユーザーがプロジェクター１に対して各種指示を行うための複数の操作キーを備えている。本実施形態の入力操作部１２が備える操作キーとしては、電源のオンとオフとを切り替えるための電源キーや、入力ソースを選択するための入力ソース選択キー等がある。ユーザーが入力操作部１２の各種操作キーを操作すると、入力操作部１２は、この入力操作を受け付けて、ユーザーの操作内容に応じた操作信号を制御部１１に出力する。
【００２６】
制御信号入力部１３は、ＲＳ−２３２Ｃ端子を備えており、コンピューター等の外部の制御装置に接続されて、制御装置から制御信号が入力される。制御信号入力部１３は、入力された制御信号を制御部１１に出力し、制御部１１は、この制御信号に基づいてプロジェクター１の動作を制御することができる。本実施形態の制御信号入力部１３には、スイッチャー３が接続され、スイッチャー３から制御信号が入力される。
【００２７】
映像信号入力部１４は、複数の映像入力端子を含んでいる。本実施形態では、コンピューター等からアナログＲＧＢ信号が入力される２つのＶＧＡ端子ＰＶ１，ＰＶ２、ビデオ機器等からＳビデオ信号が入力されるＳ端子ＰＶ３、ビデオ機器等からコンポジット信号が入力されるコンポジット端子ＰＶ４、ビデオ機器やコンピューター等からＨＤＭＩ（High Definition Multimedia Interface）規格に基づくデジタルの映像信号等が入力されるＨＤＭＩ端子ＰＶ５、特定のソフトウェアがインストールされたコンピューター等からＵＳＢ（Universal Serial Bus）規格に基づくデジタルの映像信号等が入力されるＵＳＢ端子（ＵＳＢ  Ｔｙｐｅ  Ｂ端子）ＰＶ６がある。
【００２８】
上記の映像入力端子のうち、ＨＤＭＩ端子ＰＶ５とＵＳＢ端子ＰＶ６に入力される入力信号には、映像信号と音声信号の双方が含まれ得る。このため、ＨＤＭＩ端子ＰＶ５とＵＳＢ端子ＰＶ６に入力された入力信号は、映像音声分離部１５で映像信号と音声信号とに分離される。
【００２９】
音声信号入力部１６は、複数の音声入力端子を含んでいる。本実施形態では、コンピューター等からアナログの音声信号が入力される２つのミニジャックＰＡ１，ＰＡ２、ビデオ機器等からアナログの音声信号が入力される一組のピンジャックＰＡ３が含まれている。各音声入力端子は、映像入力端子のいずれかに対応付けられている。具体的には、ミニジャックＰＡ１は、ＶＧＡ端子ＰＶ１に対応付けられ、ＶＧＡ端子ＰＶ１に入力される映像信号に対応する音声信号が入力される。ミニジャックＰＡ２は、ＶＧＡ端子ＰＶ２に対応付けられ、ＶＧＡ端子ＰＶ２に入力される映像信号に対応する音声信号が入力される。また、ピンジャックＰＡ３は、Ｓ端子ＰＶ３及びコンポジット端子ＰＶ４の双方に対応付けられ、Ｓ端子ＰＶ３又はコンポジット端子ＰＶ４に入力される映像信号に対応する音声信号が入力される。
【００３０】
映像信号選択部１７には、映像信号入力部１４に入力された映像信号、及び映像音声分離部１５で分離された映像信号が入力される。そして、映像信号選択部１７は、制御部１１の制御に基づいて、いずれか１つの映像信号を選択し、この映像信号を映像信号処理部１９に出力する。ユーザーは、入力操作部１２に備わる入力ソース選択キーの操作（選択操作）を行うことによって、いずれか１つの映像入力端子を選択することが可能であり、制御部１１は、映像信号選択部１７に指示をして、ユーザーに選択された映像入力端子に入力されている映像信号を選択させる。
【００３１】
音声信号選択部１８には、音声信号入力部１６に入力された音声信号、及び映像音声分離部１５で分離された音声信号が入力される。そして、音声信号選択部１８は、制御部１１の制御に基づいて、いずれか１つの音声信号を選択し、この音声信号を音声信号処理部２０に出力する。制御部１１は、ユーザーによって選択された映像入力端子に対応する音声入力端子に入力されている音声信号を音声信号選択部１８に選択させる。つまり、入力ソース選択キーでＶＧＡ端子ＰＶ１が選択されている場合には、ミニジャックＰＡ１に入力されている音声信号が選択され、ＶＧＡ端子ＰＶ２が選択されている場合には、ミニジャックＰＡ２に入力されている音声信号が選択され、Ｓ端子ＰＶ３及びコンポジット端子ＰＶ４のいずれかが選択されている場合には、ピンジャックＰＡ３が選択される。また、ＨＤＭＩ端子ＰＶ５やＵＳＢ端子ＰＶ６が選択されている場合には、それぞれの入力信号から分離された音声信号が選択される。
【００３２】
映像信号処理部１９は、映像信号選択部１７から入力された映像信号を、映像投写部１０の光変調装置での画像の形成に適した形式の映像信号に変換する。また、映像信号処理部１９は、制御部１１の指示に基づき、変換した映像信号に対して、明るさやコントラスト等を調整するための画質調整処理を必要に応じて行い、処理後の映像信号を映像投写部１０に出力する。この結果、映像信号入力部１４に入力された映像信号に基づく映像が映像投写部１０から投写される。
【００３３】
音声信号処理部２０は、制御部１１の指示に基づいて、音声信号選択部１８から入力された音声信号に音量調整処理や音質調整処理等の処理を適宜施す。そして、処理後の音声信号をスピーカー２１に出力し、音声信号に基づく音声をスピーカー２１から出力させる。また、音声信号処理部２０には、音声出力端子としてのミニジャックＰＡ４を備えた音声信号出力部２２が接続されており、処理後の音声信号をプロジェクター１の外部に出力可能になっている。ここで、音声信号出力部２２には、ミニジャックＰＡ４に音声ケーブルの接続端子（ミニプラグ）が接続されているか否かを検出する検出部（図示せず）が備えられており、音声信号処理部２０は、その検出結果に応じて音声信号の出力先を切り替える。つまり、音声信号処理部２０は、ミニジャックＰＡ４にミニプラグが接続されていない場合には、スピーカー２１に音声信号を出力してスピーカー２１から音声を出力させ、ミニジャックＰＡ４にミニプラグが接続されている場合には、スピーカー２１から音声を出力させず、音声信号出力部２２を介して外部に音声信号を出力する。
【００３４】
図３は、スイッチャー３を示す斜視図である。
図３に示すように、スイッチャー３は、箱状の筐体３０によって覆われた構成を有しており、その前面３０ｆには、ユーザーが入力操作を行うための入力操作部３９が配置されている。入力操作部３９の操作面は、やや上を向くように傾いており、ユーザーが入力操作を容易に行えるようになっている。筐体３０の上面３０ｔには、凹部３０ａが形成されており、凹部３０ａには、プロジェクター１やスピーカー２と接続を行うための複数の端子が配列されている（詳しくは後述する）。また、筐体３０の底面側には、段差が設けられており、高さが異なる２つの面（第１の底面３０ｂ１及び第２の底面３０ｂ２）が形成されている。これら第１及び第２の底面３０ｂ１，３０ｂ２には、映像音声供給装置２００と接続を行うための複数の端子が配列されている（詳しくは後述する）。
【００３５】
図４は、スイッチャー３の入力操作部３９を示す正面図であり、図５は、スイッチャー３の概略構成を示すブロック図である。
図５に示すように、スイッチャー３は、制御部３１と、映像信号入力部３２と、映像信号出力部３３と、音声信号入力部３４と、音声信号選択部３５と、音声信号処理部３６と、音声信号出力部３７と、制御信号出力部３８と、入力操作部３９とを備えている。
【００３６】
制御部３１は、ＣＰＵ、ＲＡＭ、ＲＯＭ等を備えており、ＲＯＭに記憶されている制御プログラムに従ってＣＰＵが動作することによりスイッチャー３の動作を統括制御する。
【００３７】
映像信号入力部３２は、プロジェクター１の映像信号入力部１４の各映像入力端子に対応する複数の映像入力端子を備えており、映像音声供給装置２００（図１参照）から映像信号が入力される。つまり、映像信号入力部３２には、２つのＶＧＡ端子ＳＶａ１，ＳＶａ２、Ｓ端子ＳＶａ３、コンポジット端子ＳＶａ４、ＨＤＭＩ端子ＳＶａ５、及びＵＳＢ端子（ＵＳＢ  Ｔｙｐｅ  Ｂ端子）ＳＶａ６が備えられている。なお、映像信号入力部３２の各映像入力端子は、筐体３０の第１の底面３０ｂ１（図３参照）に配列されている。
【００３８】
映像信号出力部３３は、映像信号入力部３２の各映像入力端子に対応する複数の映像出力端子、即ちプロジェクター１の映像信号入力部１４の各映像入力端子に対応する複数の映像出力端子を備えており、映像信号入力部３２に入力された映像信号をプロジェクター１に出力する。つまり、映像信号出力部３３には、２つのＶＧＡ端子ＳＶｂ１，ＳＶｂ２、Ｓ端子ＳＶｂ３、コンポジット端子ＳＶｂ４、ＨＤＭＩ端子ＳＶｂ５、及びＵＳＢ端子（ＵＳＢ  Ｔｙｐｅ  Ａ端子）ＳＶｂ６が備えられている。映像信号入力部３２の各映像入力端子と、映像信号出力部３３の各映像出力端子とは、対応する端子同士がバッファーや増幅器等の各種回路４０を介して接続されている。また、映像信号出力部３３の各映像出力端子は、筐体３０の上面３０ｔ（図３参照）に配列されており、プロジェクター１の映像信号入力部１４の各映像入力端子との間で、対応する端子同士がケーブル（図示せず）を介して常時接続される。このため、スイッチャー３の映像信号入力部３２に入力された映像信号は、ほぼそのままの形式でプロジェクター１の映像信号入力部１４に入力される。
【００３９】
音声信号入力部３４は、プロジェクター１の音声信号入力部１６の各音声入力端子に対応する複数の音声入力端子を備えており、映像音声供給装置２００（図１参照）から音声信号が入力される。つまり、音声信号入力部３４には、２つのミニジャックＳＡａ１，ＳＡａ２と、一組のピンジャックＳＡａ３とが備えられており、これらの音声入力端子は、筐体３０の第２の底面３０ｂ２に配列されている。さらに、音声信号入力部３４は、上記の音声入力端子の他に、もうひとつのミニジャックＳＡａ４を備えている。このミニジャックＳＡａ４は、筐体３０の上面３０ｔ（図３参照）に配置されており、プロジェクター１の音声信号出力部２２のミニジャックＰＡ４とケーブル（図示せず）を介して常時接続される。また、各音声入力端子は、プロジェクター１と同様、映像入力端子のいずれかに対応付けられている。具体的には、ミニジャックＳＡａ１は、ＶＧＡ端子ＳＶａ１に対応付けられ、ＶＧＡ端子ＳＶａ１に入力される映像信号に対応する音声信号が入力される。ミニジャックＳＡａ２は、ＶＧＡ端子ＳＶａ２に対応付けられ、ＶＧＡ端子ＳＶａ２に入力される映像信号に対応する音声信号が入力される。また、ピンジャックＳＡａ３は、Ｓ端子ＳＶａ３及びコンポジット端子ＳＶａ４の双方に対応付け、Ｓ端子ＳＶａ３又はコンポジット端子ＳＶａ４に入力される映像信号に対応する音声信号が入力される。また、ミニジャックＳＡａ４は、対応する音声入力端子がないＨＤＭＩ端子ＳＶａ５、及びＵＳＢ端子ＳＶａ６の双方に対応付けられている。
【００４０】
音声信号選択部３５には、音声信号入力部３４に入力された音声信号が入力される。そして、音声信号選択部３５は、制御部３１の制御に基づいて、いずれか１つの音声信号を選択し、この音声信号を音声信号処理部３６に出力する。
【００４１】
音声信号処理部３６は、音声信号選択部３５から入力された音声信号に音量調整処理等の処理を適宜施して、処理後の音声信号を音声信号出力部３７に出力する。
【００４２】
音声信号出力部３７は、ミニジャックＳＡｂ１を備えており、音声信号処理部３６で処理された音声信号をミニジャックＳＡｂ１からスイッチャー３の外部に出力する。音声信号出力部３７のミニジャックＳＡｂ１は、筐体３０の上面３０ｔ（図３参照）に配置されており、ケーブル（図示せず）を介してスピーカー２と常時接続される。つまり、音声信号処理部３６で処理された音声信号は、スピーカー２に出力され、音声信号に基づく音声がスピーカー２から出力される。
【００４３】
制御信号出力部３８は、ＲＳ−２３２Ｃ端子を備えている。このＲＳ−２３２Ｃ端子は、筐体３０の上面３０ｔに配置されており、プロジェクター１の制御信号入力部１３とケーブル（図示せず）を介して常時接続される。スイッチャー３の制御部３１は、制御信号出力部３８を介してプロジェクター１に制御信号を出力し、プロジェクター１の動作を制御することができる。
【００４４】
入力操作部３９は、ユーザーの入力操作を受け付けるものであり、ユーザーがスイッチャー３に対して各種指示を行うための複数の操作キーや操作ツマミを備えている。図４に示すように、本実施形態の入力操作部３９が備える操作キー及び操作ツマミとしては、プロジェクター１の電源のオンとオフとを切り替えるための電源キーＢ１や、音声の出力を停止させる音声ミュートキーＢ２、音声の出力と映像の表示を停止させる映像音声ミュートキーＢ３、入力ソースを選択するための複数の入力ソース選択キーＢ４、音声の音量を調整するためのボリュームツマミＢ５がある。ユーザーが入力操作部３９に対して各種操作を行うと、入力操作部３９は、この入力操作を受け付けて、ユーザーの操作内容に応じた操作信号を制御部３１に出力する。ここで、入力ソース選択キーＢ４には、映像信号入力部３２に備わる各映像入力端子に対応する複数の操作キーが含まれており、これらの操作キーを操作することによっていずれか１つの映像入力端子を選択できるようになっている。つまり、入力ソース選択キーＢ４には、ＶＧＡ端子ＳＶａ１を選択するためのＣｏｍｐｕｔｅｒ１キーＢ１１と、ＶＧＡ端子ＳＶａ２を選択するためのＣｏｍｐｕｔｅｒ２キーＢ１２と、Ｓ端子ＳＶａ３を選択するためのＳ−ＶｉｄｅｏキーＢ１３と、コンポジット端子ＳＶａ４を選択するためのＶｉｄｅｏキーＢ１４と、ＨＤＭＩ端子ＳＶａ５を選択するためのＨＤＭＩキーＢ１５と、ＵＳＢ端子ＳＶａ６を選択するためのＵＳＢキーＢ１６が含まれている。
【００４５】
次に、入力操作部３９の各操作キーや操作ツマミが操作された際のスイッチャー３及びプロジェクター１の動作について説明する。
ユーザーによって入力操作部３９の電源キーＢ１が操作された場合には、制御部３１は、プロジェクター１の電源のオンとオフとを切り替えるための制御信号（電源制御信号）を制御信号出力部３８からプロジェクター１に出力する。プロジェクター１の制御部１１は、制御信号入力部１３を介してこの電源制御信号が入力されると、プロジェクター１の入力操作部１２の電源キーが操作された場合と同様、電源のオンとオフとを切り替える。
【００４６】
ユーザーによって入力操作部３９の音声ミュートキーＢ２が操作された場合には、制御部３１は、音声信号処理部３６に指示をして、音声の出力を停止させる。
【００４７】
ユーザーによって入力操作部３９の映像音声ミュートキーＢ３が操作された場合には、制御部３１は、音声信号処理部３６に音声の出力を停止させるとともに、映像の表示を停止させるための操作信号（映像ミュート信号）を制御信号出力部３８からプロジェクター１に出力する。プロジェクター１の制御部１１は、制御信号入力部１３を介してこの映像ミュート信号が入力されると、映像信号処理部１９に指示をして、映像音声供給装置２００からの入力映像を表示している状態（通常状態）から、所定の色（例えば、黒色）の無地の画像を表示する状態（映像ミュート状態）へと切り替える。また、映像ミュート状態で映像ミュート信号が入力された場合には、プロジェクター１の制御部１１は、映像ミュート状態から通常状態に復帰させる。
【００４８】
ユーザーによって入力操作部３９のボリュームツマミＢ５が操作された場合には、制御部３１は、音声信号処理部３６に指示をして、音声の音量を調整させる。
【００４９】
また、ユーザーによって入力操作部３９の入力ソース選択キーＢ４が操作された場合には、スイッチャー３及びプロジェクター１は、操作された操作キーに応じて以下のように動作する。
【００５０】
Ｃｏｍｐｕｔｅｒ１キーＢ１１が操作されて、ＶＧＡ端子ＳＶａ１が選択された場合には、制御部３１は、ＶＧＡ端子ＳＶａ１が選択されたことを示す制御信号を制御信号出力部３８からプロジェクター１に出力する。プロジェクター１の制御部１１は、制御信号入力部１３を介してこの制御信号が入力されると、映像信号選択部１７に指示をして、選択されたＶＧＡ端子ＳＶａ１に対応するＶＧＡ端子ＰＶ１に入力されている映像信号を選択させる。さらに、スイッチャー３の制御部３１は、音声信号選択部３５に指示をして、選択されたＶＧＡ端子ＳＶａ１に対応する音声入力端子であるミニジャックＳＡａ１に入力されている音声信号を選択させる。この結果、プロジェクター１のＶＧＡ端子ＰＶ１に入力されている映像信号、即ちスイッチャー３のＶＧＡ端子ＳＶａ１に入力されている映像信号に基づく映像がプロジェクター１の映像投写部１０から投写され、ミニジャックＳＡａ１に入力されている音声信号に基づく音声がスピーカー２から出力される。
【００５１】
Ｃｏｍｐｕｔｅｒ２キーＢ１２、Ｓ−ＶｉｄｅｏキーＢ１３、ＶｉｄｅｏキーＢ１４が操作された場合にも、スイッチャー３及びプロジェクター１は、上記と同様に動作する。この結果、Ｃｏｍｐｕｔｅｒ２キーＢ１２が操作され、ＶＧＡ端子ＳＶａ２が選択された場合には、ＶＧＡ端子ＳＶａ２に入力されている映像信号に基づく映像がプロジェクター１の映像投写部１０から投写され、ミニジャックＳＡａ２に入力されている音声信号に基づく音声がスピーカー２から出力される。また、Ｓ−ＶｉｄｅｏキーＢ１３が操作され、Ｓ端子ＳＶａ３が選択された場合には、Ｓ端子ＳＶａ３に入力されている映像信号に基づく映像がプロジェクター１の映像投写部１０から投写され、ピンジャックＳＡａ３に入力されている音声信号に基づく音声がスピーカー２から出力される。同様に、ＶｉｄｅｏキーＢ１４が操作され、コンポジット端子ＳＶａ４が選択された場合には、コンポジット端子ＳＶａ４に入力されている映像信号に基づく映像がプロジェクター１の映像投写部１０から投写され、ピンジャックＳＡａ３に入力されている音声信号に基づく音声がスピーカー２から出力される。
【００５２】
また、ＨＤＭＩキーＢ１５が操作された場合、即ちＨＤＭＩ端子ＳＶａ５が選択された場合には、制御部３１は、ＨＤＭＩ端子ＳＶａ５が選択されたことを示す制御信号を制御信号出力部３８からプロジェクター１に出力する。プロジェクター１の制御部１１は、制御信号入力部１３を介してこの制御信号が入力されると、映像信号選択部１７に指示をして、選択されたＨＤＭＩ端子ＳＶａ５に対応するＨＤＭＩ端子ＰＶ５への入力信号から分離された映像信号を選択させるとともに、音声信号選択部１８に指示をして、ＨＤＭＩ端子ＰＶ５への入力信号から分離された音声信号を選択させる。選択された音声信号は、音声信号出力部２２のミニジャックＰＡ４から出力され、図示しないケーブルを介してスイッチャー３の音声信号入力部３４のミニジャックＳＡａ４に入力される。そして、スイッチャー３の制御部３１は、音声信号選択部３５に指示をして、ＨＤＭＩ端子ＳＶａ５に対応する音声入力端子であるミニジャックＳＡａ４に入力されている音声信号を選択させる。この結果、プロジェクター１のＨＤＭＩ端子ＰＶ５への入力信号、即ちスイッチャー３のＨＤＭＩ端子ＳＶａ５への入力信号に含まれる映像信号に基づく映像がプロジェクター１の映像投写部１０から投写され、この入力信号に含まれる音声信号、即ちミニジャックＳＡａ４に入力されている音声信号に基づく音声がスピーカー２から出力される。
【００５３】
ＵＳＢキーＢ１６が操作された場合にも、スイッチャー３及びプロジェクター１は、上記と同様に動作する。この場合には、プロジェクター１のＵＳＢ端子ＰＶ６への入力信号、即ちスイッチャー３のＵＳＢ端子ＳＶａ６への入力信号に含まれる映像信号に基づく映像がプロジェクター１の映像投写部１０から投写され、この入力信号に含まれる音声信号、即ちミニジャックＳＡａ４に入力されている音声信号に基づく音声がスピーカー２から出力される。
【００５４】
スイッチャー３は、上記のように構成されており、ユーザーは、このスイッチャー３に１つ、或いは複数の映像音声供給装置２００を接続して、映像信号と音声信号を供給することができる。そして、スイッチャー３の入力ソース選択キーＢ４で、接続した入力ソースを選択することにより、映像信号に基づく映像をプロジェクター１に表示させ、音声信号に基づく音声をスピーカー２から出力させることができる。
【００５５】
以上説明したように、本実施形態の映像音声再生システム１００によれば、以下の効果を得ることができる。
【００５６】
（１）本実施形態の映像音声再生システム１００によれば、スイッチャー３の制御部３１は、入力ソース選択キーＢ４で選択された映像入力端子に入力される映像信号に基づく映像をプロジェクター１に表示させるとともに、選択された映像入力端子に対応する音声入力端子に入力される音声信号に基づく音声をスピーカー２から出力させる。このため、映像信号及び音声信号の双方が入力されるＨＤＭＩ端子ＳＶａ５、又はＵＳＢ端子ＳＶａ６が選択された場合には、スイッチャー３の制御部３１は、ＨＤＭＩ端子ＳＶａ５、又はＵＳＢ端子ＳＶａ６に入力される映像信号に基づく映像をプロジェクター１に表示させるとともに、ＨＤＭＩ端子ＳＶａ５、又はＵＳＢ端子ＳＶａ６に対応するミニジャックＳＡａ４に入力される音声信号に基づく音声をスピーカー２から出力させる。ここで、ＨＤＭＩ端子ＳＶａ５、及びＵＳＢ端子ＳＶａ６に入力された映像信号及び音声信号は、それぞれプロジェクター１のＨＤＭＩ端子ＰＶ５、及びＵＳＢ端子ＰＶ６に入力され、映像音声分離部１５にて映像信号と音声信号に分離される。そして、プロジェクター１は、分離された映像信号に基づく映像を映像投写部１０により投写するとともに、分離された音声信号を音声信号出力部２２のミニジャックＰＡ４からスイッチャー３の音声信号入力部３４のミニジャックＳＡａ４に出力する。この結果、この音声信号に基づく音声がスピーカー２から出力される。つまり、映像の表示と、音声の出力とを異なる装置で行うにあたり、ＨＤＭＩ端子ＳＶａ５、又はＵＳＢ端子ＳＶａ６に入力される映像信号と音声信号とをスイッチャー３内で分離する必要がないため、スイッチャー３の構成を簡略化することが可能となり、コストの上昇を抑制することが可能となる。
【００５７】
（２）本実施形態の映像音声再生システム１００によれば、スイッチャー３において、複数の映像入力端子と複数の音声入力端子とがそれぞれ高さが異なる２つの面（第１の底面３０ｂ１及び第２の底面３０ｂ２）に分かれて配列されているため、ユーザーがケーブルを接続する際に接続すべき位置が分かりやすくなり、利便性が向上する。また、プロジェクター１及びスピーカー２に接続される端子は、上面３０ｔに配置されているため、ケーブルを常時接続したままにしておいても、外観が損なわれずに済む。
【００５８】
なお、本実施形態において、映像信号及び音声信号の双方が入力される映像入力端子であるＨＤＭＩ端子ＳＶａ５、及びＵＳＢ端子ＳＶａ６が第１の映像入力端子に相当する。
【００５９】
（変形例）
また、上記実施形態は、以下のように変更してもよい。
【００６０】
上記実施形態では、映像信号及び音声信号の双方が入力される映像入力端子として、ＨＤＭＩ端子ＳＶａ５、及びＵＳＢ端子ＳＶａ６を例示しているが、これに限定されない。例えば、ＬＡＮ（Local Area Network）等のネットワークを介して映像信号及び音声信号が入力されるネットワーク端子を採用することができる。
【００６１】
上記実施形態では、プロジェクター１の映像信号入力部１４、及びスイッチャー３の映像信号入力部３２がＴｙｐｅ−ＢのＵＳＢ端子ＰＶ６，ＳＶａ６を備えるとともに、スイッチャー３の映像信号出力部３３がＴｙｐｅ−ＡのＵＳＢ端子ＳＶｂ６を備えている。そして、映像音声供給装置２００（例えば、コンピューター）の図示しないＵＳＢ端子（Ｔｙｐｅ−Ａ端子）から出力された映像信号及び音声信号が、スイッチャー３を経由してプロジェクター１に入力されるようになっている。この場合には、映像音声供給装置２００がＵＳＢホストとして機能し、プロジェクター１がＵＳＢデバイスとして機能する。これに対し、プロジェクター１の映像信号入力部１４、及びスイッチャー３の映像信号入力部３２にＴｙｐｅ−ＡのＵＳＢ端子を備えるとともに、スイッチャー３の映像信号出力部３３にＴｙｐｅ−ＢのＵＳＢ端子を備えるようにして、映像音声供給装置２００（例えば、撮像装置等）の図示しないＵＳＢ端子（Ｔｙｐｅ−Ｂ端子）から映像信号及び音声信号が入力されるようにしてもよい。この場合には、プロジェクター１がＵＳＢホストとして機能し、映像音声供給装置２００がＵＳＢデバイスとして機能する。
【００６２】
上記実施形態では、スイッチャー３の音声信号出力部３７がミニジャックＳＡｂ１を備えた構成を示したが、音声信号出力部３７が備える音声出力端子は、ミニジャックＳＡｂ１に限定されない。例えば、ピンジャック等、他の種類の音声出力端子を備えるようにしてもよい。また、音声信号出力部３７が備える音声出力端子は、１つに限らず、複数の音声出力端子を備えるようにしてもよい。
【００６３】
上記実施形態では、スイッチャー３の音声信号入力部３４の音声入力端子のうち、プロジェクター１の音声信号出力部２２から音声信号が入力される音声入力端子は、ミニジャックＳＡａ４になっているが、これに限定されず、ピンジャック等、他の種類の音声入力端子であってもよい。
【００６４】
上記実施形態では、スイッチャー３からプロジェクター１に対して、ＲＳ−２３２Ｃ端子を経由して制御信号を出力するようになっているが、これに限定されず、例えば、ＵＳＢ端子を経由して制御信号を出力するようにしてもよい。
【００６５】
上記実施形態では、映像表示装置として、プロジェクター１を採用しているが、映像表示装置はプロジェクター１に限定されない。例えば、透過型のスクリーンを一体的に備えたリアプロジェクター、液晶ディスプレイ、プラズマディスプレイ、ＳＥＤ（Surface-conduction Electron-emitter Display）、有機ＥＬ（Electro Luminescence）ディスプレイ等、他の映像表示装置を採用することも可能である。
【符号の説明】
【００６６】
１…プロジェクター、２…スピーカー、３…スイッチャー、１０…映像投写部、１１…制御部、１２…入力操作部、１３…制御信号入力部、１４…映像信号入力部、１５…映像音声分離部、１６…音声信号入力部、１７…映像信号選択部、１８…音声信号選択部、１９…映像信号処理部、２０…音声信号処理部、２１…スピーカー、２２…音声信号出力部、３０…筐体、３０ａ…凹部、３０ｂ１…第１の底面、３０ｂ２…第２の底面、３０ｆ…前面、３０ｔ…上面、３１…制御部、３２…映像信号入力部、３３…映像信号出力部、３４…音声信号入力部、３５…音声信号選択部、３６…音声信号処理部、３７…音声信号出力部、３８…制御信号出力部、３９…入力操作部、４０…各種回路、１００…映像音声再生システム、２００…映像音声供給装置、Ｂ１…電源キー、Ｂ２…音声ミュートキー、Ｂ３…映像音声ミュートキー、Ｂ４…入力ソース選択キー、Ｂ５…ボリュームツマミ、Ｂ１１…Ｃｏｍｐｕｔｅｒ１キー、Ｂ１２…Ｃｏｍｐｕｔｅｒ２キー、Ｂ１３…Ｓ−Ｖｉｄｅｏキー、Ｂ１４…Ｖｉｄｅｏキー、Ｂ１５…ＨＤＭＩキー、Ｂ１６…ＵＳＢキー、ＰＶ１，ＰＶ２…ＶＧＡ端子、ＰＶ３…Ｓ端子、ＰＶ４…コンポジット端子、ＰＶ５…ＨＤＭＩ端子、ＰＶ６…ＵＳＢ端子、ＰＡ１，ＰＡ２，ＰＡ４…ミニジャック、ＰＡ３…ピンジャック、ＳＶａ１，ＳＶａ２…ＶＧＡ端子、ＳＶａ３…Ｓ端子、ＳＶａ４…コンポジット端子、ＳＶａ５…ＨＤＭＩ端子、ＳＶａ６…ＵＳＢ端子、ＳＶｂ１，ＳＶｂ２…ＶＧＡ端子、ＳＶｂ３…Ｓ端子、ＳＶｂ４…コンポジット端子、ＳＶｂ５…ＨＤＭＩ端子、ＳＶｂ６…ＵＳＢ端子、ＳＡａ１，ＳＡａ２，ＳＡａ４…ミニジャック、ＳＡａ３…ピンジャック、ＳＡｂ１…ミニジャック、ＳＣ…スクリーン。
【図１】
2012145620.tif 000003
【図２】
2012145620.tif 000004
【図３】
2012145620.tif 000005
【図４】
2012145620.tif 000006
【図５】
2012145620.tif 000007